(57)【要約】【課題】使用者が入眠しているとき、快適な入眠状態を維持するのに有利な建築物窓自動開閉装置を提供する。【解決手段】建築物窓自動開閉装置は、窓を開閉させる窓開閉機構と、室外の気象情報に関する物理量を検知する室外気象情報検知手段と、室内環境条件に関する物理量を検知する室内環境条件検知手段と、使用者の入眠または入眠時刻に関する物理量を検知する入眠検知手段と、使用者が入眠状態のときにおいて、室外気象情報検知手段で検知された室外の気象情報、室内環境条件検知手段で検知された室内環境条件に基づいて、使用者の快適度を高めるように窓の開度を求め、窓の開度に応じて窓開閉機構を制御することにより窓の開度を調整する制御手段とを具備する。【選択図】図１
2008144519.tif 000002
【特許請求の範囲】
【請求項１】
建築物の窓枠に設けられ開閉可能な窓を移動させて前記窓を開閉させる窓開閉機構と、
室外の気象情報に関する物理量を検知する室外気象情報検知手段と、
室内環境条件に関する物理量を検知する室内環境条件検知手段と、
使用者の入眠に関する物理量を検知する入眠検知手段と、
使用者が入眠状態のときにおいて、前記室外気象情報検知手段で検知された室外の気象情報、前記室内環境条件検知手段で検知された室内環境条件に基づいて、使用者の快適度を高めるように前記窓の開度を設定し、前記窓の開度に応じて前記窓開閉機構を制御することにより前記窓の開度を調整する制御手段とを具備することを特徴とする建築物窓自動開閉装置。
【請求項２】
請求項１において、前記室外気象情報検知手段は、外気温度に関する物理量を検知する外気温度検知手段と、室外の風速に関する物理量を検知する室外風速検知手段とを備えており、
前記制御手段は、使用者が入眠状態のときにおいて、前記外気温度検知手段で検知された外気温度、前記室内環境条件検知手段で検知された室内環境条件、前記室外風速検知手段で検知された風速に基づいて前記窓の開度を設定し、前記窓の開度に応じて前記窓開閉機構を制御することにより前記窓の開度を調整することを特徴とする建築物窓自動開閉装置。
【請求項３】
請求項１または２において、単位時間当たりの室温の変化速度を求める室温変化速度演算手段が設けられており、前記室温変化速度演算手段で求められた室温変化速度が第１しきい値よりも大きいときには、前記室温変化速度が前記第１しきい値よりも小さいときに比較して、前記窓の開度を相対的に減少させることを特徴とする建築物窓自動開閉装置。
【請求項４】
請求項１〜３のうちの一項において、前記窓に対面可能なカーテンに係合可能および係合解除可能に設けられ、係合に伴い前記窓の移動に対して前記カーテンを連動させ、且つ、係合解除に伴い前記窓の移動に対して前記カーテンを非連動とさせる係合部が設けられており、
前記係合部は、前記窓および前記窓開閉機構のうちの少なくとも一方に設けられており、
前記制御手段は、使用者が入眠状態のときにおいて、前記窓開閉機構を制御することにより前記窓の開度を調整すると共に前記窓の開度に前記カーテンの開度を連動させることを特徴とする建築物窓自動開閉装置。
【請求項５】
請求項１〜３のうちの一項において、前記窓に対面可能な前記カーテンを移動させて前記カーテンを開閉させるカーテン開閉機構が設けられており、前記カーテン開閉機構は前記窓開閉機構に対して独立して作動するように設定されており、且つ、
前記制御手段は、使用者が入眠状態のときにおいて、使用者の快適度を高めるように、前記窓開閉機構を制御することにより前記窓の開度を調整すると共に、前記カーテン開閉機構を制御することにより前記カーテンの開度を調整することを特徴とする建築物窓自動開閉装置。
【請求項６】
請求項４または５において、日の出に関する物理量を検知する日の出検知手段が設けられており、
前記制御手段は、前記日の出検知手段により日の出が検知されると、前記窓の開閉に拘わらず前記カーテンを閉じることを特徴とする建築物窓自動開閉装置。
【請求項７】
請求項４または５において、使用者の目覚めに関する物理量を検知する目覚め検知手段が設けられており、
前記制御手段は、前記目覚め検知手段により使用者の目覚めが検知されると、前記窓の開閉に拘わらず前記カーテンを開放させることを特徴とする建築物窓自動開閉装置。
【請求項８】
請求項２〜７のうちの一項において、室内風速に関する物理量を検知する室内風速検知手段が設けられており、
前記制御手段は、使用者が入眠状態のときにおいて、前記外気温度検知手段で検知された外気温度、前記室内環境条件検知手段で検知された室内環境条件、前記室内風速検知手段で検知される室内風速に基づいて、使用者の快適度を高めるように、前記窓開閉機構を制御することを特徴とする建築物窓自動開閉装置。
【請求項９】
請求項１〜８のうちの一項において、前記制御手段は、使用者が入眠状態のときにおいて、前記室外気象情報検知手段で検知された室外の気象情報、前記室内環境条件検知手段で検知された室内環境条件に基づいて、不快指数または不快指数に関する値を求め、不快指数または不快指数に関する値に基づいて、使用者の快適度を高めるように前記窓の開度を設定し、前記窓の開度に応じて前記窓開閉機構を制御することを特徴とする建築物窓自動開閉装置。
【発明の詳細な説明】
【技術分野】
【０００１】
本発明は建築物の窓開口に取り付けられている窓を自動的に開閉させる窓開閉機構を有する建築物窓自動開閉装置に関する。
【背景技術】
【０００２】
特許文献１は、風速や風向きをセンサにより検出し、検出結果に応じて建築物の回転式の窓を自動的に開閉させる窓自動開閉装置を開示している。特許文献２は、環境センサが検知した風向、風力、温度、湿度等の外部環境に基づいて、建築物のシャッタを自動的に開閉させる窓装置を開示している。特許文献３は、家屋の外に設けた風力計で検知される風速に基づいて、平均風速を演算で求め、その演算風速に応じてステップモータを駆動させてシャッタの開度を決定する家屋用換気装置を開示している。
【特許文献１】特開平６−５８０６１号公報
【特許文献２】特開平１０−１８４１９３号公報
【特許文献３】特開平６−１７３５４１号公報
【特許文献４】特開２００５−１０６３２２号公報
【発明の開示】
【発明が解決しようとする課題】
【０００３】
ところで、上記した技術によれば、使用者が入眠状態にあるとき、使用者の快適な入眠状態を維持するには限界があった。
【０００４】
本発明は上記した実情に鑑みてなされたものであり、使用者が入眠しているとき、快適な入眠状態を維持するのに有利な建築物窓自動開閉装置を提供することを課題とする。
【課題を解決するための手段】
【０００５】
（１）様相１に係る建築物窓自動開閉装置は、（ａ）建築物の窓枠に設けられ開閉可能な窓を移動させて窓を開閉させる窓開閉機構と、（ｂ）室外の気象情報に関する物理量を検知する室外気象情報検知手段と、（ｃ）室内環境条件に関する物理量を検知する室内環境条件検知手段と、（ｄ）使用者の入眠に関する物理量を検知する入眠検知手段と、（ｅ）使用者が入眠状態のときにおいて、室外気象情報検知手段で検知された室外の気象情報、室内環境条件検知手段で検知された室内環境条件に基づいて、使用者の快適度を高めるように窓の開度を設定し、窓の開度に応じて窓開閉機構を制御することにより窓の開度を調整する制御手段とを具備することを特徴とする。
【０００６】
入眠検知手段は、使用者の入眠（入眠時刻を含む）に関する物理量（例えば時刻、寝息音、入眠体動、脳波等）を検知する。入眠検知手段としては、使用者が入眠するとき使用者の意思により、入眠開始する入眠時刻として操作されるスイッチ、または、使用者の寝息音（呼吸音、いびき音、爆音を含む）を検知するマイク等の音センサ、または、ベッド上の使用者の身体の動きを検知するセンサ等が例示される。窓開閉機構は開閉可能な窓を移動させて窓を開閉させるものであり、例えば、モータ機構、流体圧機構を利用して形成できる。室外気象情報検知手段は、室外の気象情報（外気温、室外湿度、室外風速、雨等のうちの少なくとも一つ）に関する物理量を検知するものであり、外気温センサ、室外湿度センサ、室外風速センサ、雨センサ等が例示される。
【０００７】
室外気象情報検知手段は、建築物に固定されている窓固定枠、または、建築物または、建築物付近の他の部位に設けることができる。室内環境条件検知手段は、室内環境条件（室温、室内湿度、室内風速等のうちの少なくとも一つ）に関する物理量を検知するものであり、従って、室温センサ、室内湿度センサ、室内風速センサ等が例示される。
【０００８】
制御装置は、使用者が入眠状態のときにおいて、室外気象情報検知手段で検知された室外の気象情報、室内環境条件検知手段で検知された室内環境条件に基づいて、制御手段は、使用者の快適度を高めるように窓の開度を設定する。この場合、窓の開度を演算で設定しても良いし、メモリ等の記憶手段に格納されているマップから求めても良い。制御手段は、窓の開度に応じて窓開閉機構を制御することにより、窓の開度を調整する。
【０００９】
（２）様相２に係る建築物窓自動開閉装置によれば、上記様相において、単位時間当たりの室温の変化速度を求める室温変化速度演算手段が設けられており、室温変化速度演算手段で求められた室温変化速度が第１しきい値よりも大きいときには、室温変化速度が第１しきい値よりも小さいときに比較して、窓の開度を相対的に減少させることを特徴とする。本様相では様相１に係る作用が得られる。更に、室温変化速度は使用者の体感温度に大きな影響を与える。室温変化速度が相対的に大きいときには、小さいときに比較して、使用者への負担が大きくなる。
【００１０】
本様相によれば、室温変化速度が第１しきい値よりも大きいときには、室温変化速度が第１しきい値よりも小さいときに比較して、窓の開度を相対的に減少させる。このため、室外の風が室内に吹き込む風量が低減され、入眠中の使用者に与える負担を軽減させることができる。また、室温変化速度が第２しきい値よりも小さいときには、室温変化速度が第２しきい値よりも大きいときに比較して、窓の開度を相対的に増加させることが好ましい。第１しきい値および第２しきい値は、使用者の体感温度に与える影響を考慮しつつ、適宜設定する。
【００１１】
（３）様相３に係る建築物窓自動開閉装置によれば、上記様相において、窓に対面可能なカーテンに係合可能および係合解除可能に設けられ、係合に伴い窓の移動に対してカーテンを連動させ、且つ、係合解除に伴い窓の移動に対してカーテンを非連動とさせる係合部が設けられており、係合部は、窓および窓開閉機構のうちの少なくとも一方に設けられており、制御手段は、使用者が入眠状態のときにおいて、窓開閉機構を制御することにより窓の開度を調整すると共に窓の開度にカーテンの開度を連動させることを特徴とする。本様相では様相１に係る作用が得られる。更に、本様相では、使用者が入眠状態のときにおいて、窓の開度にカーテンの開度を連動させるため、窓が開放すれば、カーテンも開放される。このため室外の風が室内に吹き込み易くなり、入眠中の使用者の快適性が確保される。更に、窓が開放しているものの、カーテンが閉鎖されている不具合が解消され、風によるカーテンのばたつきが解消される。窓が閉鎖すれば、カーテンも閉鎖される。ませ７このため室外の風が室内に吹き込み易くなり、入眠中の使用者の快適性が確保される。
【００１２】
（４）様相４に係る建築物窓自動開閉装置によれば、上記様相において、窓に対面可能なカーテンを移動させてカーテンを開閉させるカーテン開閉機構が設けられており、カーテン開閉機構は窓開閉機構に対して独立して作動するように設定されており、且つ、制御手段は、使用者が入眠状態のときにおいて、使用者の快適度を高めるように、窓開閉機構を制御することにより窓の開度を調整すると共に、カーテン開閉機構を制御することによりカーテンの開度を調整することを特徴とする。本様相では様相１に係る作用が得られる。更に本様相では、使用者が入眠状態のときにおいて、窓の開度にカーテンの開度を連動させるため、窓が開放すれば、カーテンも開放される。このように窓が開放すれば、カーテンも開放されるため、カーテンのばたつきを抑えつつ、室外の風が室内に吹き込み易くなり、入眠中の使用者の快適性が確保される。
【００１３】
（５）様相５に係る建築物窓自動開閉装置によれば、上記様相において、日の出に関する物理量（例えば時刻、光、音）を直接または間接的に検知する日の出検知手段が設けられており、制御手段は、日の出検知手段により日の出が直接または間接的に検知されると、窓の開閉に拘わらずカーテンを閉じることを特徴とする。本様相では様相１に係る作用が得られる。更に本様相では、日の出検知手段により日の出が検知されると、窓の開閉に拘わらずカーテンを閉じるため、太陽光が室内に入射されることが抑制され、使用者の入眠状態が確保される。
【００１４】
（６）様相６に係る建築物窓自動開閉装置によれば、上記様相において、使用者の目覚めに関する物理量（例えば時刻、光、音）を検知する目覚め検知手段が設けられており、制御手段は、目覚め検知手段により使用者の目覚めが検知されると、窓の開閉に拘わらずカーテンを開放させることを特徴とする。本様相では様相１に係る作用が得られる。更に本様相では、使用者の目覚めが検知されると、窓の開閉に拘わらずカーテンを自動的に開放させるため、使用者の目覚めが向上する。
【００１５】
（７）様相７に係る建築物窓自動開閉装置によれば、上記様相において、制御手段は、使用者が入眠状態のときにおいて、室外気象情報検知手段で検知された室外の気象情報、室内環境条件検知手段で検知された室内環境条件に基づいて、不快指数または不快指数に関する値を求め、不快指数または不快指数に関する値に基づいて、使用者の快適度を高めるように窓の開度を設定し、窓の開度に応じて窓開閉機構を制御することを特徴とする。本様相では様相１に係る作用が得られる。上記した不快指数は、体感温度および室温に基づいて求められる指数を意味する。
不快指数は例えば次のように求められる。
不快指数＝０．８１×体感温度（℃）＋０．０１×室内湿度×（０．９９×体感温度（℃）−１４．３）＋４６．３
また不快指数は次にように求めても良い。
不快指数＝４０．６＋０．７２（ｔｄ＋ｔｗ）
ここで、ｔｄは乾湿計の乾球温度（℃）を示し、乾湿計の湿球温度（℃）を示す。なお、不快指数に関する値は、不快指数そのもの数値に対してプラスマイナス１５％の範囲に相当する値を意味する。
【発明の効果】
【００１６】
本発明によれば、使用者が入眠状態のときにおいて、制御手段は、室外気象情報検知手段で検知された室外の気象情報、室内環境条件検知手段で検知された室内環境条件に基づいて窓の開度を設定し、使用者の快適度を高めるように、窓の開度に応じて窓開閉機構を制御することにより窓の開度を調整する。これにより夏季などのように寝苦しい時期においても、使用者の快適な入眠状態が維持される。
【発明を実施するための最良の形態】
【００１７】
以下、本発明の実施形態について各実施例に基づいて説明する。
【実施例１】
【００１８】
図１〜図７は実施例１を示す。図１に示すように、窓開閉機構１は、建築物の窓開口２ａをもつ窓固定枠２に設けられており、開閉可能な窓を移動させて窓開口２ａを開閉させる。窓開閉機構１は、窓固定枠２に設けられた従動ローラ（従動体）１０と、窓固定枠２に設けられた駆動ローラ１１（駆動体）と、駆動ローラ１１を回転させるモータで形成された窓アクチュエータ１３（駆動源）と、従動ローラ１０および駆動ローラ１１間に架設されたワイヤ状のエンドレス体１４とを有する。
【００１９】
窓固定枠２は、互いに対向する縦方向に延設された２つの縦固定枠２０と、互いに対向する横方向に延設された２つの横固定枠２２とをもつ。窓３はスライド開閉式であり、第１窓３１および第２窓３２を備えている。第１窓３１は、窓本体３１ａと窓本体３１ａの縁部に設けられた可動枠３１ｃとをもつ。第２窓３２も同様であり、窓本体３２ａと窓本体３２ａの縁部に設けられた可動枠３２ｃとをもつ。エンドレス体１４は窓３の可動枠３１ｃに接続具３１ｘを介して接続されている。窓アクチュエータ１３が駆動すると、エンドレス体１４が移動し、可動枠３１ｃと共に窓３が移動して開閉される。窓アクチュエータ１３はモータで形成されており、窓アクチュエータ１３の回転数を検知するセンサ（例えばホール素子）を内蔵している。窓アクチュエータ１３の回転数の信号（窓３の開閉量に相当する）は、制御装置４に入力される。制御装置４は、ケース４０、受信部４１、メモリ４２、ＣＰＵ４３、入力処理回路４４、出力処理回路４５を有する。ＣＰＵ４３は、出力処理回路４５を介して窓アクチュエータ１３の駆動回路１３ｄに制御信号を出力する。制御装置４は窓固定枠２の内部に埋設されていても良いし、あるいは、窓固定枠２の外部に露出していても良い。
【００２０】
図１に示すように、室内には冷房および／または暖房機能をもつ空調装置４７、室内を照らす照明灯４８が設けられている。使用者の手元に置かれる可動式のリモコン５が設けられている。リモコン５は手動操作用であり、電源スイッチ５０と、窓３を自動開閉させる自動開閉制御を実行する自動制御スイッチ５１と、使用者が入眠するとき操作する入眠スイッチ５２（入眠検知手段）と、入眠状態から目覚めた使用者により操作されて目覚めを検知する目覚めスイッチでもある目覚めセンサ５３（目覚め検知手段）と、制御装置４の受信部４１（例えば赤外線センサ）に各スイッチまたは各センサの信号をワイヤレスで送信する送信部５４と、室温センサ５６（室温検知手段）と、室内湿度センサ５７（室内湿度検知手段）と、室内風速センサ５８（室内風速検知手段）と、目覚めスイッチ５３とをもつ。
【００２１】
冬季等では、使用者はリモコン５の自動制御スイッチ５１をＯＮしないため、窓３を自動開閉させる制御は実行されない。夏季等では、使用者はリモコン５の自動制御スイッチ５１をＯＮすることが多い。リモコン５の各スイッチからの信号は、リモコン５の送信部５４から制御装置４の受信部４１に入力される。
【００２２】
リモコン５の自動制御スイッチ５１がＯＮされているとき、窓３を自動開閉させる自動開閉制御が実行される。リモコン５の自動制御スイッチ５１がＯＦＦされると、窓３を自動開閉させる自動開閉制御が実行されず、使用者が窓３を手動で開閉させることになる。
【００２３】
図３に示すように、建築物に固定されている窓固定枠２の縦固定枠２０には、室外の気象情報を検知する気象センサ６（室外気象情報検知手段）が設けられている。気象センサ６は、外気温度を検知する外気温度センサ６１（外気温度検知手段）と、室外風速を検知する室外風速センサ６２（室外風速検知手段）と、室外湿度を検知する室外湿度センサ６３（室外湿度検知手段）と、雨センサ６４と、日の出センサ６５とを有する。室外風速センサ６２は、加熱部で加熱して熱量を発生し、風で奪われる熱量を検知するセンサが例示される。この場合、室外風速センサ６２として、ダイオードによる熱式風速計が挙げられるが、風車式でも、超音波式でも良い。室内風速センサについても同様である。雨センサ６４は雨水により導通経路が形成される導電電極６４ｃを有しているが、これに限らず、集電量が変化する方式でも良い。日の出センサ６５は光センサで形成される。
【００２４】
図４は制御装置４が実行するメインルーチンのフローチャートを示す。図５は制御装置４が実行する自動制御サブルーチンのフローチャートを示す。このメインルーチンのフローチャートは、図４に示すように、リモコン５の電源スイッチ５０がオンされることによりスタートする。本発明装置に係る自動制御スイッチ５１がオンされているか否かを制御装置４は判定する（ステップＳ１２）。リモコン５の自動制御スイッチ５１がＯＮされていれば（ステップＳ１２のＯＮ）、窓３の自動開閉を行う自動制御サブルーチンの実行を開始する（ステップＳ１４）。自動制御スイッチ５１がＯＮされていなければ（ステップＳ１２のＯＦＦ）、窓３の自動開閉を行う自動制御サブルーチンの実行を開始せず、使用者が手動で窓３を開閉させるマニュアル操作信号を出力し（ステップＳ１６）、ステップＳ１２に戻る。
【００２５】
図５は、窓３の自動開閉を行う自動制御サブルーチンを示す。図５に示すように、外気温度を読み込み、外気温度が過剰に低いか否か判定する（ステップＳ２０２）。外気温度が過剰に低いときには（ステップＳ２０２の低温）、自動制御スイッチ５１がＯＮされていたとしても、使用者の体調維持のため、窓３を自動開閉しない方が好ましい。このため外気温度が過剰に低いときには、メインルーチンにリターンする。これにより冬季等おいてリモコン５の自動制御スイッチ５１が誤ってＯＮされていたとしても、外気温度が低温過ぎるときには、窓３の自動開閉は実行されない。外気温度がしきい値温度を越えているときには外気温度が適温であり（ステップＳ２０２の適温）、リモコン５の入眠スイッチ５２がＯＮされているか否か、つまり、使用者が入眠状態であるか否かを判定する（ステップＳ２０４）。使用者が入眠状態になければ（ステップＳ２０４のＮＯ）、リモコン５の自動制御スイッチ５１がＯＮか否か判定する（ステップＳ２０６）。自動制御スイッチ５１がＯＦＦであれば（ステップＳ２０６のＯＦＦ）、メインルーチンにリターンする。自動制御スイッチ５１がＯＮされていれば（ステップＳ２０６のＯＮ）、ステップＳ２０４に戻り、使用者が入眠状態か否かの判定を続ける（ステップＳ２０４）。
【００２６】
リモコン５の入眠スイッチ５２がＯＮされており、使用者が入眠中であると判定されると（ステップＳ２０４のＹＥＳ）、空調装置４７の駆動を停止させると共に照明灯４８を消灯させ、更に、窓アクチュエータ１３に窓３を全閉とする全閉信号を送信する（ステップＳ２０８）。これにより窓３は一旦全閉となる。上記したように使用者がリモコン５の自動制御スイッチ５１をＯＮしていたとしても、使用者が入眠していない限り、窓３を自動開閉させる制御は実行されない。使用者の入眠は、リモコン５の入眠スイッチ５２を使用者がＯＮされたか否かに基づいて制御装置４により判定される。
【００２７】
次に、リモコン５の目覚めセンサ５３がＯＮされているか、つまり、使用者が入眠から目覚めたか否かを判定する（ステップＳ２１０）。目覚めセンサ５３がＯＦＦであり、使用者がまだ入眠中であれば（ステップＳ２１０のＮＯ）、窓３の自動開閉制御を継続させるべく、室外の気象情報（外気温度、室外風速、降雨）、室内の環境条件信号（室温、室内風速）を読み込む（ステップＳ２１２）。この場合、各信号を１秒間あたり１回読み込み、複数回（例えば５回）の平均値を採用することができる。但しこれに限定されるものではない。
【００２８】
次に、室外において雨が降っているか判定する（ステップＳ２１４）。室外において雨が降っていなければ（ステップＳ２１４のＮＯ）、窓３を開放させても良い。そこで、室外の気象情報（外気温度、室外風速、降雨）、室内の環境条件（室温、室内風速）の情報を、メモリ４２に格納されているデータベースのエリアに記録する（ステップＳ２１８）。所定時間（２分間）ぶん、上記した室外の気象情報および室内の環境条件の情報をデータベースのエリアに記録する（ステップＳ２２０）。所定時間（２分間）ぶんの情報が記録されていなければ、ステップＳ２２２を経てステップＳ２１０に戻り、上記した室外の気象情報、室内の環境条件の読み込み、データベースへの記録を継続させる。
【００２９】
ここで、リモコン５の自動制御スイッチ５１がＯＦＦされていれば（ステップＳ２２２のＯＦＦ）、メインルーチンにリターンする。所定時間ぶん、上記した室外の気象情報および室内の環境条件をメモリ４２のデータベースのエリアに記録すれば（ステップＳ２２０のＹＥＳ）、室外風速のデータおよび外気温度のデータについて、所定時間（例えば２分間）ぶん平均化させ、室外風速および外気温度とする。且つ、単位時間当たりの室温変化速度（℃／ｍｉｎ）を算出する（ステップＳ２２４）。なおステップＳ２２４は室温変化速度を求める手段として機能する。
【００３０】
次に、室外の気象情報（外気温度、室外湿度、室外風速、降雨の有無）、室内の環境条件（室温、室内湿度、室内風速）に応じて、窓３の開度を設定し、その開度に応じて窓３を開閉させるサブルーチンを実行する（ステップＳ２２６）。
【００３１】
図６は、窓３の開度を設定し、その開度に応じて窓３を開閉させるサブルーチン（ステップＳ２２６）の内容を示す。先ず、室外の気象情報（外気温度、室外湿度、室外風速、降雨）、室内の環境条件（室温、室内湿度、室内風速）に応じて、窓３の開度をメモリ４２のマップから読み込む（ステップＳ２２６２）。このマップには、外気温度が高い程、室外湿度が高い程、室外風速が遅い程、窓３の開度を増加させるように、窓３の開度情報が格納されている。また、このマップには、室温が高い程、室内湿度が高い程、室内風速が遅い程、窓３の開度を増加させるように、窓３の開度情報が格納されている。
【００３２】
窓３の目標開度を決定する（ステップＳ２２６４）。窓３の目標開度を窓アクチュエータ１３の駆動回路１３ｄに送信する（ステップＳ２２６６）。メモリ４２の容量を確保すべく、メモリ４２のデータベースに格納されている室外の気象情報（外気温度、室外湿度、室外風速、降雨）、室内の環境条件（室温、室内湿度、室内風速）についての所定時間ぶんの情報をリセットし（ステップＳ２２６８）、ステップＳ２１０に戻る。
【００３３】
上記のようにして本実施例によれば、室外の気象情報（外気温度、室外湿度、室外風速、降雨）、室内の環境条件（室温、室内湿度、室内風速）に応じて、窓３の開度を設定し、そして、窓３の開度に応じて窓アクチュエータ１３を駆動させて窓３を開閉させる。これにより室外の気象情報、室内の環境条件に応じて、窓３が開閉されるため、使用者は快適に入眠することができる。
【００３４】
ステップＳ２１４における判定の結果、室外において雨が降っていれば（ステップＳ２１４のＹＥＳ）、ステップＳ２１４からステップＳ２３０に移行し、窓アクチュエータ１３に全閉信号を送信し、窓３を閉じる（ステップＳ２３０）。更に、リモコン５の自動制御スイッチ５１がＯＮかＯＦＦか判定する（ステップＳ２３２）。ＯＦＦであれば、メインルーチンにリターンする。リモコン５の自動制御スイッチ５１がＯＮであれば（ステップＳ２３２のＯＮ）、ステップＳ２１０に戻り、使用者が入眠から目覚めるまで、上記のようにして室外の気象情報（外気温度、室外湿度、室外風速、降雨）、室内の環境条件（室温、室内湿度、室内風速）に応じた窓３の開度を設定し、窓３の開度に応じて窓アクチュエータ１３を駆動させて窓３を開閉させる。上記した処理を継続する。これにより室外の気象情報、室内の環境条件に応じて、窓３が開閉されるため、空調装置４７の駆動を停止させたとしても、使用者は快適に入眠することができる。
【００３５】
ステップＳ２１０における判定の結果、リモコン５の目覚め信号がＯＮされており（ステップＳ２１０のＹＥＳ）、使用者が入眠から目覚めている状態であれば、窓３を開放させることが好ましい。そこで室外において雨が降っているか判定し（ステップＳ２３６）、雨が降っていなければ（ステップＳ２３６のＮＯ）、窓アクチュエータ１３に全開信号を送信し（ステップＳ２３８）、窓３を全開させ、目覚めを促進させる。雨が降っていれば（ステップＳ２３６のＹＥＳ）、窓アクチュエータ１３に全閉信号を送信し（ステップＳ２４０）、窓３を全閉させる信号を出力し、ステップＳ２０４に戻る。
【００３６】
（マップ）
図７は、制御装置４が実行する処理内容（窓３の開度情報）がメモリ４２に格納されているマップの一例を示す。このマップは室外風速および室温変化速度を考慮して窓３の開度を決定する例である。マップとしてはこれに限定されるものではない。図７の（ｉ）に示すように、室外において雨が降っている場合には、雨が室内に進入しないように、窓３を全閉させる。図７の（ｉｉ）に示すように、雨が降っていないときには制御則を変更させる。以下、雨が降っていない場合について説明する。即ち、（ｉｉ−１）に示すように、外気温度が室温を高温側に越えているときには、暑い外気を室内に進入させない方が好ましいので、窓３を全閉にする。
【００３７】
（ｉｉ−２）に示すように、雨が降っておらず、外気温度が室温以下であるときには、窓３を開放させて室内を外気により空調させることが好ましい。そこで、窓３の自動開閉制御がＯＮされた後における室温の上昇量ΔＴを検知し、室温の上昇量ΔＴに応じて制御を変更する。ここで、室温の上昇量ΔＴがＡ℃未満であり、室温の上昇量ΔＴが少ないときには、外気を室内に進入させない方が好ましいので、窓３を全閉とする。または微小開放としても良い。
【００３８】
図７の（ｉｉ−２）に示すように、外気温度が室温以下である場合には、室温の上昇量ΔＴがＡ℃以上であるときには、室温の上昇が激しいため、室外風速を考慮して窓の開度を設定する必要がある。
【００３９】
即ち、室外風速が０〜Ｂｍ／ｓｅｃ（微風）であるとき、Ｂ〜Ｃｍ／ｓｅｃ（中程度の弱）であるとき、Ｃ〜Ｄｍ／ｓｅｃ（中程度の強）であるとき、Ｄｍ／ｓｅｃ以上（強風）であるときに分けて説明する。この場合、室温の変化速度を求める。
【００４０】
室外風速が０〜Ｂｍ／ｓｅｃのように室外風速が遅いときには、室温変化速度（上昇速度）がＥ℃／ｍｉｎ未満であるときには、室温変化速度が遅く、入眠者に与える負担が少ないため、窓３を全開（１００％）させるが、室温変化速度（上昇速度）がＥ℃／ｍｉｎ（第１しきい値に相当）以上であるときには、室温変化速度が速いため、入眠者に与える負担が大きく、窓３の開度をａ％（ａ％＜１００％）とし、全開よりも窓３の開度を小さくさせる。また室温変化速度（下降速度）がＦ℃／ｍｉｎ未満であるときには、室温変化速度が遅く入眠者に与える負荷は少ないため、窓３を全開（１００％）させるが、室内変化速度（下降速度）がＦ℃／ｍｉｎ（第２しきい値に相当）以上であるときには、室温変化速度が速く入眠者に与える負荷が大きいため、窓３の開度をａ％（ａ％＜１００％）とし、全開よりも窓３の開度を小さくさせる。
【００４１】
また、室外風速がＢ〜Ｃｍ／ｓｅｃのように室外風速が中程度であるときには、室温変化速度（上昇速度）がＥ℃／ｍｉｎ未満であるときには、室温変化速度が遅く、入眠者に与える負担が少ないため、窓３の開度をａ％にするが、上昇室温変化速度（上昇速度）がＥ℃／ｍｉｎ以上であるときには、室温変化速度が速いため、入眠者に与える負担が大きく、開度をｂ％（ｂ％＜ａ％）とし、窓３の開度を小さくさせる。
【００４２】
また室外風速がＢ〜Ｃｍ／ｓｅｃのように室外風速が中程度であるときには、室内変化速度（下降速度）がＦ℃／ｍｉｎ未満であるときには、室温変化速度が遅く入眠者に与える負荷は少ないため、窓３の開度をａ％とするが、室内変化速度（下降速度）がＦ℃／ｍｉｎ以上であるときには、室温変化速度が速く入眠者に与える負荷が大きいため、窓３の開度をｂ％（ｂ％＜ａ％）とし、室外風速が遅い場合に比較して窓３の開度を小さくさせる。
【００４３】
また、室外風速がＣ〜Ｄｍ／ｓｅｃのように室外風速が比較的速いときには、室温変化速度に関係なく、窓３の開度をｂ％（ｂ＜ａ）とし、窓３の開度を小さくさせる。上記したように室外風速が速い程、室外風速が遅い場合に比較して、窓３の開度を相対的に小さくさせる。
【００４４】
また、室外風速がＤｍ／ｓｅｃ越えるときのように室外風速がかなり激しいときには、室温変化速度に関係なく、窓３を全閉とさせる。このように室外の風が強風のときには、窓３を開けない。
【００４５】
以上説明したように本実施例によれば、使用者が入眠状態になれば、空調装置４７の駆動は停止され、制御装置４は、窓３の開閉により室内の空調を制御することにしている。このため、身体に優しい空調機能が得られ、自律神経失調による体調不良等を引き起こすことが抑制される。更に空調装置４７の駆動を停止させるため、省エネルギの観点からみても有利である。
【実施例２】
【００４６】
図８は実施例２を示す。本実施例は実施例１と基本的には同様の構成、作用効果を有する。従って図１〜図６を準用する。以下、異なる部分を中心として説明する。制御装置４は、リモコン５に搭載されている室内風速センサ５８により求めた室内風速を加味して制御する。室内風速は、室内の使用者に対して体感温度に影響を与える。即ち、室温が高いときであっても、室内風速が速いときには、室内風速が遅いときに比較して、室内の使用者が実際に感じる体感温度は相対的に低くなる。室内風速が遅いときには、室内風速が速いときに比較して、室内の使用者が実際に感じる体感温度は相対的に高くなる。
【００４７】
なお、室内風速としては、リモコン５に搭載されている室内風速センサ５８により求めることにしているが、これに限らず、室外風速センサ６２で求めた室外風速と係数と窓３の開度とを乗算した値を、室内風速として演算で求めることにしても良い。この場合、室外風速が大きい程、あるいは、窓３の開度が大きい程、室内風速の値が相対的に増加される。
【００４８】
図８は、本実施例装置が実施する処理内容がメモリ４２に格納されているマップの一例を示す。図８の（ｉ）に示すように、室外において雨が降っている場合には、雨が室内に進入しないように、窓３を全閉させる。図８の（ｉｉ）に示すように、雨が降っていないときには制御則を変更させる。以下、雨が降っていない場合について説明する。即ち、図８の（ｉｉ−１）に示すように、外気温度が室温を高温側に越えているときには、暑い外気を室内に進入させない方が好ましいので、窓３を全閉にする。
【００４９】
図８の（ｉｉ−２）に示すように、雨が降っておらず、外気温度が室温以下であるときには、窓３を自動開閉制御させた後における室温の上昇量ΔＴを検知し、室温の上昇量ΔＴに応じて制御を変更する。室温の上昇量ΔＴがＡ℃未満であり、室温の上昇量ΔＴが少ないときには、外気を室内に進入させない方が好ましいので、窓３を全閉とする。または窓３を微小開放としても良い。
【００５０】
図８の（ｉｉ−２）に示すように、外気温度が室温以下である場合には、自動制御ＯＮ後における室温の上昇量ΔＴがＡ℃以上であるときには、室温の上昇が激しいため、室内風速を考慮する。
【００５１】
即ち、図８に示すように、室内風速が０〜βｍ／ｓｅｃであるとき、β〜γｍ／ｓｅｃであるとき、γ〜δｍ／ｓｅｃであるとき、δｍ／ｓｅｃ以上であるときに分けて説明する。この場合、室温の変化速度を求める。
【００５２】
室内風速が０〜βｍ／ｓｅｃのように室内風速が遅いときには、室温変化速度（上昇速度）がＥ２℃／ｍｉｎ未満であるときには、室温変化速度が遅く、入眠者に与える負担が少ないため、窓３を全開（１００％）させるが、室温変化速度（上昇速度）がＥ２℃／ｍｉｎ以上であるときには、室温変化速度が速いため、入眠者に与える負担が大きく、開度をａ２％（ａ２％＜１００％）とし、全開よりも窓３の開度を小さくさせる。また室温変化速度（下降速度）がＦ２℃／ｍｉｎ未満であるときには、室温変化速度が遅く入眠者に与える負荷は少ないため、窓３を全開（１００％）させるが、下降する室内変化速度（下降速度）がＦ２℃／ｍｉｎ以上であるときには、室温変化速度が速く入眠者に与える負荷が大きいため、窓３の開度をａ２％とし、全開よりも窓３の開度を小さくさせる。
【００５３】
また、室外風速がβ〜γｍ／ｓｅｃのように室内風速が中程度であるときには、室温変化速度（上昇速度）がＥ２℃／ｍｉｎ未満であるときには、室温変化速度が遅く、入眠者に与える負担が少ないため、窓３の開度をａ２％にするが、上昇室温変化速度（上昇速度）がＥ２℃／ｍｉｎ以上であるときには、室温変化速度が速いため、入眠者に与える負担が大きく、開度をｂ２％（ｂ２％＜ａ２％＜１００％）とし、窓３の開度を小さくさせる。
【００５４】
また室外風速がβ〜γｍ／ｓｅｃのように室内風速が中程度であるときには、室内変化速度（下降速度）がＦ２℃／ｍｉｎ未満であるときには、室温変化速度が遅く入眠者に与える負荷は少ないため、窓３の開度をａ２％とするが、室内変化速度（下降速度）がＦ２℃／ｍｉｎ以上であるときには、室温変化速度が速く入眠者に与える負荷が大きいため、窓３の開度をｂ２％（ｂ２％＜ａ２％＜１００％）とし、室外風速が遅い場合に比較して窓３の開度を小さくさせる。
【００５５】
また、室内風速がγ〜δｍ／ｓｅｃのように室外風速が速いときには、室温度変化速度に関係なく、窓３の開度をｂ２％（ｂ２％＜ａ２％）とし、窓３の開度を小さくさせる。また、室内風速がδｍ／ｓｅｃ越えるときのように室外風速がかなり激しいときには、室温変化速度に関係なく、窓３を全閉とさせる。このように室外の風がかなり強いときには、窓３を開けない。
【実施例３】
【００５６】
図９は実施例３を示す。本実施例は実施例１と基本的には同様の構成、作用効果を有する。以下、異なる部分を中心として説明する。ベッド３００には、寝具等に横たわっている使用者の寝息音（呼吸音、いびき音、爆音を含む）を検知するマイク３０１（入眠検知手段）が装備されている。マイク３０１で検知された信号は制御装置４に入力される。マイク３０１で検知した寝息音がしきい値よりも大きいときには、使用者が入眠していると検知される。
【実施例４】
【００５７】
図１０および図１１は実施例４を示す。本実施例は実施例１と基本的には同様の構成、作用効果を有する。以下、異なる部分を中心として説明する。窓３に対面するようにカーテン７が建築物に据え付けられている。カーテン７は、カーテンフック７０を介してカーテンレール７１に吊持されている。カーテン７は、カーテンレール７１に沿って窓開閉方向つまり水平方向に沿って移動可能とされている。窓３を開閉させる窓アクチュエータ１３が窓固定枠２に設けられている。
【００５８】
本実施例に係る窓開閉機構１は、窓３に対面するカーテン７に係合および係合解除可能に設けられた係合部７４をもつ。係合部７４は、窓３に固定されている可動枠に取り付けられたマジックテープとも呼ばれる面ファスナ７４ｅで形成されている。係合部７４の面ファスナ７４ｅがカーテン７に係脱可能に係合している状態において、窓アクチュエータ１３が駆動して窓３が開閉方向に移動すると、窓３の可動枠３１ｃも移動し、可動枠３１ｃに固定されている係合部７４も同方向に移動し、ひいてはカーテン７も同方向に移動する。これにより係合部７４がカーテン７に係脱可能に係合している状態において、窓３が開放されるとカーテン７も同方向に開放され、窓３が閉鎖されるとカーテン７も同方向に閉鎖される。使用者が面ファスナ７４ｅの係合を解除すれば、窓３の開閉と関係なく、カーテン７を開閉させることができる。
【実施例５】
【００５９】
図１２〜図１４は実施例５を示す。本実施例は実施例１と基本的には同様の構成、作用効果を有する。以下、異なる部分を中心として説明する。図１２および図１３に示すように、窓開閉機構１は、更に、窓３に対面可能なカーテン７に係合および係合解除可能な係合部７４Ｂが窓３の可動枠３１ｃに保持されている。係合部７４Ｂは、カーテン７に対して係合方向（矢印Ｘ１方向）および係合解除方向（矢印Ｘ２方向）に回動可能な係合アーム７５と、係合アーム７５を作動させるモータ等で形成されている係合アクチュエータ７６とをもつ。係合アクチュエータ７６は、窓３の可動枠３１ｃに保持されており、窓３と共に窓３の開閉方向に移動できる。係合アクチュエータ７６が作動して係合アーム７５が係合方向（矢印Ｘ１方向）に作動すると、係合アーム７５がカーテン７の係合穴（図示せず）に係合する。これにより窓３が移動すると、カーテン７が連動して移動できる連動性が確保される。なお、カーテン７に係合穴を設ける場合に限らず、係合アーム７５を二股状とし、係合アーム７５にカーテン７の一部を挟むようにして、係合アーム７５とカーテン７とを一体的に係合させても良い。
【００６０】
係合アーム７５がカーテン７に係合しているとき、窓アクチュエータ１３が作動して窓３が開閉方向に移動すると、窓３の移動に対してカーテン７が連動して開閉される。係合アクチュエータ７６が係合解除方向（矢印Ｘ２方向）に作動して係合アーム７５をカーテン７から離脱させれば、係合部７４Ｂとカーテン７との係合は解除される。この場合、窓３が開閉方向に移動したとしても、カーテン７を非連動とさせることができる。
【００６１】
図１４は制御装置４が実行するフローチャートを示す。外気温が低温過ぎるときには、窓３を開閉しない方が好ましいので、外気温が低温過ぎるか否か判定する（ステップＳ４０２）。外気温が低温過ぎれば、メインルーチンにリターンする。外気温が適温であれば、使用者が入眠しているか否か判定する（ステップＳ４０４）。使用者の入眠が検知されると（ステップＳ４０４のＹＥＳ）、制御装置４は、窓３を全閉する信号を出力する（ステップＳ４０６）。これにより係合アーム７５とカーテン７とが係合可能となる。そして制御装置４は、係合アクチュエータ７６を係合方向（矢印Ｘ１方向）に作動させる信号を出力する（ステップＳ４０８）。これにより係合部７４Ｂを作動させて係合アーム７５をカーテン７に係合させ、窓３とカーテン７とが連動するようにしておく。
【００６２】
使用者が入眠状態にあるとき、室外の気象情報（外気温度、室外湿度、室外風速、降雨）、室内の環境条件（室温、室内湿度、室内風速）に応じて窓３の開度を設定する。そして、求めた窓３の開度に応じて窓アクチュエータ１３を駆動させて窓３を開閉させるサブルーチンを実行する（ステップＳ４１０）。この場合、窓３が開放されると、カーテン７も連動して同時に開放される。窓３が閉鎖されると、カーテン７も連動して同時に閉鎖される。
【００６３】
現在が日の出状態であるか否か判定する（ステップＳ４１４）。現在が日の出状態でなければ、ステップＳ４１０を継続させる。現在が日の出状態であれば（ステップＳ４１４のＹＥＳ）、係合部７４Ｂの係合アーム７５がカーテン７に係合している状態に係合アクチュエータ７６を維持する。そして窓アクチュエータ１３を窓全閉方向に駆動させ、窓３を全閉させる（ステップＳ４１６）。窓３の全閉によりカーテン７も全閉となる。このため日の出状態であるにもかかわらず、太陽光が室内に入射されることが抑制され、使用者の入眠が確保される。
【００６４】
次に、係合部７４Ｂの係合アーム７５とカーテン７との係合を解除し、係合アーム７５をカーテン７から離脱させる（ステップＳ４１８）。即ち、係合部７４Ｂの係合アーム７５とカーテン７とが非係合となるように、係合アクチュエータ７６を作動させる。次に窓３を元の開度（ステップＳ４１０における窓３の開度）に戻す（ステップＳ４２０）。そして、室外の気象情報（外気温度、室外湿度、室外風速、降雨）、室内の環境条件（室温、室内湿度、室内風速）に応じた窓３の開度を設定し、求めた窓３の開度となるように窓３の開閉を制御する（ステップＳ４２２）。この場合には、使用者はまだ入眠中である。
【００６５】
次に、使用者が目覚めたか否か判定する（ステップＳ４２６）。使用者が目覚めていなければ（ステップＳ４２６のＮＯ）、ステップＳ４２２を継続する。使用者が目覚めていれば（ステップＳ４２６のＹＥＳ）、窓３を一旦全閉にする（ステップＳ４２８）。その後、係合アクチュエータ７６を作動させて係合アーム７５をカーテン７の穴に係合させ、カーテン７と窓３との連動開閉性を確保する（ステップＳ４３０）。
【００６６】
この状態で、窓３を全開させれば（ステップＳ４３２）、窓３の全開に連動してカーテン７が全開する。次に、係合部７４Ｂの係合アーム７５とカーテン７とが非係合状態となるように、係合アクチュエータ７６を逆方向に作動させる（ステップＳ４３４）。窓３を元の開度（室外の気象情報（外気温度、室外湿度、室外風速、降雨）、室内の環境条件（室温、室内湿度、室内風速）に応じた窓３の開度）に戻す（ステップＳ４３６）。なお室外において雨が降っていたら、窓３を全閉させても良い。
【実施例６】
【００６７】
図１５は実施例６を示す。本実施例は実施例１と基本的には同様の構成、作用効果を有する。以下、異なる部分を中心として説明する。窓自動開閉装置は、窓３を開閉させる窓アクチュエータ１３（窓開閉機構）と、窓３に対面可能なカーテン７を開閉させるカーテンアクチュエータ７８（カーテン開閉機構）とを有する。窓アクチュエータ１３が作動すると、窓３が開閉方向に移動される。カーテンアクチュエータ７８が作動すると、カーテン７が開閉方向に移動される。カーテンアクチュエータ７８は窓アクチュエータ１３に対して独立して駆動できる。従ってカーテン７は窓３に対して独立して駆動できる。
【００６８】
図１６は制御装置４が実行するフローチャートを示す。外気温が低温過ぎるときには、窓３を開閉しない方が好ましいので、外気温が低温過ぎるか否か判定する（ステップＳ５０２）。外気温が低温過ぎれば、メインルーチンにリターンする。外気温が適温であれば、使用者が入眠しているか否か判定する（ステップＳ５０４）。使用者の入眠が検知されると（ステップＳ５０４のＹＥＳ）、空調装置４７の駆動を停止させ、室外の気象情報（外気温度、室外湿度、室外風速、降雨）、室内の環境条件（室温、室内湿度、室内風速）に応じた窓３の開度を求め、窓３の開度に応じて窓３を開閉させるサブルーチンを実行する（ステップＳ５０６）。この場合、窓アクチュエータ１３により窓３が開放されると、カーテンアクチュエータ７８も作動するのでカーテン７が窓３に連動して開放される。窓アクチュエータ１３により窓３が閉鎖されると、カーテンアクチュエータ７８によりカーテン７も連動して閉鎖される。このように窓３およびカーテン７は同時開閉される。
【００６９】
そして、現在が日の出状態であるか否か判定する（ステップＳ５０８）。現在が日の出状態でなければ、ステップＳ５０６，Ｓ５０８を継続させる。現在が日の出状態であれば（ステップＳ５０８のＹＥＳ）、カーテンアクチュエータ７８に全閉信号を出力して、カーテンアクチュエータ７８を作動させることにより、カーテン７を全閉状態とさせる（ステップＳ５１０）。このため太陽光が室内に入射されることが抑制され、使用者の入眠が確保される。この場合、窓アクチュエータ１３には信号は出力されず、窓３の開度はそのままに維持される。
【００７０】
この場合、使用者が入眠状態にあるため、室外の気象情報（外気温度、室外湿度、室外風速、降雨）、室内の環境条件（室温、室内湿度、室内風速）に応じた窓３の開度を求め、開度に応じて窓３を開閉させるサブルーチンを実行する（ステップＳ５１２）。この場合、日の出があったにも拘わらず、使用者が入眠状態であるときには、室外の気象情報（外気温度、室外湿度、室外風速、降雨）、室内の環境条件（室温、室内湿度、室内風速）に応じて、窓３の開度は制御されるものの、カーテン７は閉じたまま（全閉）である。
【００７１】
そして、使用者が目覚めたか否か判定する（ステップＳ５１４）。使用者が目覚めていなければ（ステップＳ５１４のＮＯ）、ステップＳ５１２を継続させる。使用者が目覚めていれば（ステップＳ５１４のＹＥＳ）、窓３の開度をそのままに維持した状態で、カーテンアクチュエータ７８を作動させることによりカーテン７を全開させる（ステップＳ５１６）。
【実施例７】
【００７２】
図１７〜図１９は実施例７を示す。本実施例は実施例１と基本的には同様の構成、作用効果を有する。以下、異なる部分を中心として説明する。制御装置４は、使用者が入眠状態のときにおいて、室外気象情報検知手段で検知された室外の気象情報、室内環境条件検知手段で検知された室内環境条件、不快指数演算手段で求められた不快指数に基づいて、使用者の快適度を高めるように窓３の開度を求め、窓３の開度に応じて窓開閉機構１を制御する。
【００７３】
不快指数が高いほど、窓３の開度を増加させるように窓３を開閉させる。不快指数が低いほど、窓３の開度を減少させるように窓３を開閉させる。この場合、外気温度が室温よりも低いことが前提とされる。不快指数は、実際の室温に対して、風速および／または湿度を加味した体感温度に基づく指数をいう。実際の室温が高くても、かなりの風速があれば、または、湿度が低ければ、体感温度は低めとなるのが一般的である。
【００７４】
図２０は、不快指数に応じた窓３の開度を示す。図２０に示すように、不快指数が６９以下では窓３の開度を０％（全閉）とする。不快指数が７０〜７４では窓３の開度を３０％とする。不快指数が７５〜７９では窓３の開度を５０％とする。不快指数が８０〜８５では窓３の開度を８０％とする。不快指数が８６以上では窓３の開度を１００％（全開）とする。但し、窓３の開度は、図２０に示す例に限定されるものではなく、適宜変更可能である。
【００７５】
文献によれば、図２０に示すように、不快指数が５５以下では、体感は寒い。不快指数が５５越え６０以下では、体感は肌寒い。不快指数が６０越え６５以下では、体感は快適である。不快指数が６５越え７０以下では、体感は快適である。不快指数が７０越え７５以下では、体感は快適である。不快指数が７５越え８０以下では、体感はやや不快である。不快指数が８０越え８５以下では、体感は不快である。不快指数が８６以上では、体感はたまらない感じとなる。
【００７６】
上記した不快指数は例えば次のように求められる。
不快指数＝０．８１×体感温度（℃）＋０．０１×室内湿度×（０．９９×体感温度（℃）−１４．３）＋４６．３
体感温度（℃）は一般的には次のように定義される。
ミスナールの体感温度（℃）＝室温（℃）−１／２．３×（室温（℃）−１０）×（０．８−室内湿度（％）／１００）
リンケの体感温度＝室温（℃）−４×（室内風速）０．５
ここで、湿度とは、その温度における飽和水蒸気量を１００％とするとき、空気中の水蒸気量の割合を示す相対湿度を意味する。ミスナールの体感温度とリンケの体感温度とは算出方法が異なるが、本実施例ではいずれを採用しても良い。両者の平均値を採用しても良い。
【００７７】
図１７は制御装置４が実行するメインルーチンのフローチャートを示す。図１８は窓３を自動で開閉させる自動制御サブルーチンを示す。このフローチャートは図４に示すフローチャートと基本的には共通する。図１７に示すように、このフローチャートは電源投入と共にスタートする。本発明装置に係るリモコン５の自動制御スイッチ５１がオンされているか否か、つまり、自動制御ＯＮ／ＯＦＦ信号を受信しているか制御装置４は判定する（ステップＳＢ１２）。自動制御スイッチ５１がＯＮされていれば（ステップＳＢ１２のＯＮ）、窓３の自動開閉を行う自動制御サブルーチンの実行を開始する（ステップＳＢ１４）。自動制御スイッチ５１がＯＦＦされていれば（ステップＳＢ１２のＯＦＦ）、窓３の自動開閉を行う自動制御サブルーチンの実行を開始せず、使用者が窓３を手動で開閉させるマニュアル操作信号を出力する（ステップＳＢ１６）。
【００７８】
図１８は、制御装置４が窓３の自動開閉を行う自動制御サブルーチンを示す。外気温が低温過ぎるときには、窓３を開閉しない方が好ましいので、外気温が低温過ぎるか否か判定する（ステップＳＢ２０２）。外気温が低温過ぎれば、メインルーチンにリターンする。外気温が適温であれば、リモコン５の入眠スイッチ５２がＯＮされているか否か、つまり、使用者が入眠状態に入ったか否か判定する（ステップＳＢ２０２）。入眠していなければ（ステップＳＢ２０４のＮＯ）、自動制御スイッチ５１がＯＮされているか否か判定する（ステップＳＢ２０６）。自動制御スイッチ５１がＯＮされていなければ（ステップＳＢ２０６のＯＦＦ）、メインルーチンのステップＳＢ１２に戻る。自動制御スイッチ５１が受信されていれば（ステップＳＢ２０６のＯＮ）、ステップＳＢ２０４に戻り、使用者が入眠状態にあるかの判定を継続する（ステップＳＢ２０４）。
【００７９】
入眠スイッチ５２がＯＮされており、使用者が入眠状態であれば（ステップＳＢ２０４のＹＥＳ）、空調装置４７の駆動を停止させると共に照明灯４８を消灯させ、更に、窓アクチュエータ１３に全閉信号を送信する（ステップＳＢ２０８）。これにより窓３は一旦全閉となる。この場合、窓３が全閉となるため、カーテン７も全閉となる。
【００８０】
次に、リモコン５の目覚めセンサ５３がＯＮされているか、つまり、使用者が入眠から目覚めたか否かを判定する（ステップＳＢ２１０）。目覚めセンサ５３がＯＦＦであり、即ち、使用者がまだ目覚めておらず入眠中であれば（ステップＳＢ２１０のＮＯ）、制御装置４は、室外の気象情報（外気温度、室外湿度、室外風速、降雨）、室内の環境条件（室温、室内湿度、室内風速）を読み込む（ステップＳＢ２１２）。この場合、例えば、各信号を１秒間あたり１回読み込み、複数回（例えば５回）の平均値を採用することができるが、これに限定されるものではない。
【００８１】
次に、室外において雨が降っているか判定する（ステップＳＢ２１４）。雨が降っていなければ（ステップＳＢ２１４のＮＯ）、室外が強風であるか判定する（ステップＳＢ２１６）。室外が強風でなければ、室外の気象情報（外気温度、室外湿度、室外風速、降雨）、室内の環境条件（室温、室内湿度、室内風速）の情報を、メモリ４２に格納されているデータベースのエリアに記録する（ステップＳＢ２１８）。所定時間（２分間）ぶん、上記した室外の気象情報および室内の環境条件の情報をデータベースのエリアに記録する（ステップＳＢ２２０）。所定時間（２分間）ぶんの情報が記録されていなければ、ステップＳＢ２２２を経てステップＳＢ２０８に戻り、上記した室外の気象情報、室内の環境条件の読み込み、データベースへの記録を継続させる。
【００８２】
所定時間ぶん、上記した室外の気象情報および室内の環境条件をデータベースのエリアに記録すれば（ステップＳＢ２２０のＹＥＳ）、室外風速および外気温度を所定時間（例えば２分間）を平均化し、不快指数を算出する（ステップＳＢ２２４）。不快指数は、室内の環境条件（室温、室内湿度、室内風速、室温湿度）に応じてた体感温度を求め、体感温度および室温に基づいて不快指数は求められる。不快指数に基づいて、窓３の開度を設定し、窓３の開度に応じて窓３を開閉させる（ステップＳＢ２２６）。
【００８３】
図１９は、不快指数に応じて窓３を開閉させるサブルーチンの内容を示す。先ず、不快指数に応じた窓３の開度をメモリ４２のマップから読み込む（ステップＳＢ２２６２）。窓３の目標開度を決定する（ステップＳＢ２２６４）。窓３の目標開度を窓アクチュエータ１３の駆動回路に送信する（ステップＳＢ２２６６）。気象情報（外気温度、室外湿度、室外風速、降雨）、室内の環境条件（室温、室内湿度、室内風速）についての所定時間ぶんの情報をリセットし（ステップＳＢ２２６８）、ステップＳＢ２１０に戻る。上記のようにして室外の気象情報（外気温度、室外湿度、室外風速、降雨）、室内の環境条件（室温、室内湿度、室内風速）に応じた窓３の目標開度を求め、窓３の目標開度に応じて窓アクチュエータ１３を駆動させて窓３を開閉させる。
【００８４】
ステップＳＢ２１４での判定の結果、室外において雨が降っていれば、ステップＳＢ２１４からステップＳＢ２３０に移行し、窓アクチュエータ１３に全閉信号を送信し、窓３を閉じる（ステップＳＢ２３０）。同様に、ステップＳＢ２１６での判定の結果、室外において強風が吹いていれば（ステップＳ２１６のＯＮ）、ステップＳＢ２１６からステップＳＢ２３０に移行し、窓アクチュエータ１３に全閉信号を送信し、窓３を閉じる（ステップＳＢ２３０）。更に、リモコン５の自動制御スイッチ５１がＯＮかＯＦＦか判定する（ステップＳＢ２３２）。ＯＦＦであれば、メインルーチンのステップＳＢ１２に戻る。自動制御スイッチ５１がＯＮであれば、ステップＳＢ２１０に戻り、使用者が入眠から目覚めているか否か判定する（ステップＳＢ２１０）。使用者が入眠から目覚めていなければ（ステップＳＢ２１０のＮＯ）、使用者は入眠中である。そこで上記のようにして不快指数を求め（ステップＳＢ２２４）、不快指数に応じて窓３の開度を求め、窓３の開度に応じて窓アクチュエータ１３を駆動させて窓３を開閉させる（ステップＳ２２６）。上記した処理を継続する。
【００８５】
ステップＳＢ２１０の判定の結果、目覚め信号がＯＮされており（ステップＳＢ２１０のＹＥＳ）、使用者が入眠から目覚めている状態であれば、室外において雨が降っているか判定し（ステップＳＢ２３６）、室外において雨が降っていなければ（ステップＳＢ２３６のＮＯ）、窓アクチュエータ１３に全開信号を送信し（ステップＳＢ２３８）、窓３を全開させる。雨が降っていれば（ステップＳＢ２３６のＹＥＳ）、窓アクチュエータ１３に全閉信号を送信し（ステップＳＢ２４０）、窓３を全閉させる（ステップＳ２４０）。
【実施例８】
【００８６】
本実施例は実施例１と基本的には同様の構成、同様の作用効果を有するため、図１を準用する。本実施例によれば、リモコン５は、電源スイッチ５０と、窓３を自動開閉させる自動開閉制御を実行する自動制御スイッチ５１と、使用者が入眠するとき操作する入眠スイッチ５２（入眠検知手段）と、制御装置４の受信部４１（例えば赤外線センサ）に信号を送信する送信部５４と、室温センサ５６（室温検知手段）と、室内湿度センサ５７（室内湿度検知手段）とを備えている。しかし、使用者が入眠状態から目覚めるとき操作する目覚めセンサ５３（目覚め検知手段）、室内風速センサ５８（室内風速検知手段）は、リモコン５に設けられていない。冬季等では、使用者はリモコン５の自動制御スイッチ５１をＯＮしないため、窓３を自動開閉させる制御は実行されないと考えられる。夏季等では、使用者はリモコン５の自動制御スイッチ５１をＯＮすることが多い。リモコン５の各スイッチからの信号は、リモコン５の送信部５４から制御装置４の受信部４１に入力される。リモコン５の自動制御スイッチ５１がＯＮされているとき、窓３を自動開閉させる自動開閉制御が実行される。リモコン５の自動制御スイッチ５１がＯＦＦされると、窓３を自動開閉させる自動開閉制御が実行されず、使用者が窓３を手動で開閉させることになる。
【００８７】
（他の実施例）
上記した各実施例によれば、窓開閉機構１は、窓固定枠２に設けられた従動ローラ（従動体）１０と、窓固定枠２に設けられた駆動ローラ１１（駆動体）と、駆動ローラ１１を回転させるモータで形成された窓アクチュエータ１３（駆動源）と、従動ローラ１０および駆動ローラ１１間に架設されたワイヤ状のエンドレス体１４とを有するが、窓開閉機構１としてはこれに限らず、他の機構とすることもできる。例えば、窓アクチュエータとしては、空気圧シリンダ、油圧シリンダ等の流体圧シリンダ機構とすることもできる。
【００８８】
実施例１では、各種スイッチ５０，５１，５２，５３，各種センサ５６，５７，５８はリモコン５に設けられているが、これに限らず、他の部位に設けられていても良い。目覚めセンサ５３は、使用者が入眠状態から目覚めたとき使用者が操作するスイッチであるが、目覚め検知手段としてはこれに限らず、寝具付近での使用者の動作を検知する光センサでも良く、あるいは、寝具付近での使用者の動作による音を検知する音センサでも良い。窓３は、直進方向にスライドする方式であるが、これに限らず、回動により窓３を開閉する方式でも良い。本発明は上記し且つ図面に示した実施例のみに限定されるものではなく、要旨を逸脱しない範囲内で適宜変更して実施可能である。ある実施例に特有の構造および機能は、他の実施例についても適用できる。
【００８９】
上記した記載から次の技術的思想が把握される。
［付記項１］建築物の窓枠に設けられ開閉可能な窓を移動させて窓を開閉させる窓開閉機構と、室外の気象情報に関する物理量を検知する室外気象情報検知手段と、室内環境条件に関する物理量を検知する室内環境条件検知手段と、使用者の入眠（入眠時刻を含む）に関する物理量（例えば時刻、寝息音、入眠体動等）を検知する入眠検知手段と、使用者が入眠状態のときにおいて、前記室外気象情報検知手段で検知された室外の気象情報、前記室内環境条件検知手段で検知された室内環境条件に基づいて、不快指数または不快指数に近似する指数を求め、不快指数または不快指数に近似する値に基づいて、使用者の快適度を高めるように前記窓の開度を設定し、前記窓の開度に応じて前記窓開閉機構を制御する制御手段とを具備することを特徴とする建築物窓自動開閉装置。
［付記項２］建築物の窓枠に設けられ開閉可能な窓を移動させて窓を開閉させる窓開閉機構と、室外の気象情報に関する物理量を検知する室外気象情報検知手段と、室内環境条件に関する物理量を検知する室内環境条件検知手段と、使用者の入眠に関する物理量を検知する入眠検知手段と、使用者が入眠状態のときにおいて、室外気象情報検知手段で検知された室外の気象情報、室内環境条件検知手段で検知された室内環境条件に基づいて、使用者の快適度を高めるように窓の開度を設定し、窓の開度に応じて窓開閉機構を制御することにより窓の開度を調整する制御手段とを具備することを特徴とする建築物窓自動開閉装置。外気温よりも室温が高いとき、窓の開度を増加させることができる。室外に風がある場合、外気温よりも室温が高いとき、窓の開度を増加させることができる。室外の風速が大きいときには、室内風速が増加するため、室外の風速が小さいときに比較して、窓の開度を減少させることができる。窓開閉機構と連動するカーテン開閉機構を設けることもできる。また窓開閉機構に対して独立して動作するカーテン開閉機構を設けることもできる。日の出が検知されると、使用者の入眠を確保すべく、光が室内に進入しないように、窓を開放させつつカーテンを閉じることができる。
［付記項３］建築物の窓枠に設けられ開閉可能な窓を移動させて窓を開閉させる窓開閉機構と、室内環境条件に関する物理量を検知する室内環境条件検知手段と、使用者の入眠に関する物理量を検知する入眠検知手段と、使用者が入眠状態のときにおいて、室内環境条件検知手段で検知された室内環境条件に基づいて、使用者の快適度を高めるように窓の開度を設定し、窓の開度に応じて窓開閉機構を制御することにより窓の開度を調整する制御手段とを具備することを特徴とする建築物窓自動開閉装置。
【産業上の利用可能性】
【００９０】
本発明は家屋、ビル等の建築物に利用することができ、使用者が入眠している間において窓を自動開閉させる窓自動開閉装置に利用することができる。
【図面の簡単な説明】
【００９１】
【図１】窓自動開閉装置を示す概念図である。
【図２】窓自動開閉装置の制御系を示すブロック図である。
【図３】気象センサを取り付けている構造を示す図である。
【図４】制御装置が実行するメインルーチンを示すフローチャートである。
【図５】制御装置が実行する自動制御サブルーチンを示すフローチャートである。
【図６】制御装置が実行する開度に応じて窓を開閉させるサブルーチンを示すフローチャートである。
【図７】制御装置のメモリに格納されているマップを示す図である。
【図８】実施例２に係り、制御装置のメモリに格納されているマップを示す図である。
【図９】実施例３に係り、ベッドを示す側面図である。
【図１０】実施例４に係り、窓をカーテンで覆っている状態を示す正面図である。
【図１１】実施例４に係り、窓をカーテンで覆っている状態を示す側面図である。
【図１２】実施例５に係り、窓をカーテンで覆っている状態を示す正面図である。
【図１３】実施例５に係り、窓をカーテンで覆っている状態を示す側面図である。
【図１４】制御装置が実行する自動制御サブルーチンを示すフローチャートである。
【図１５】実施例６に係り、窓をカーテンで覆っている状態を示す正面図である。
【図１６】実施例６に係り、制御装置が実行する自動制御サブルーチンを示すフローチャートである。
【図１７】実施例７に係り、制御装置が実行するメインルーチンを示すフローチャートである。
【図１８】実施例７に係り、制御装置が実行する自動制御サブルーチンを示すフローチャートである。
【図１９】実施例７に係り、制御装置が実行する開度に応じて窓を開閉させるサブルーチンを示すフローチャートである。
【図２０】実施例７に係り、不快指数と窓の開度との関係を示すマップである。
【符号の説明】
【００９２】
１は窓開閉機構、１０は従動ローラ、１１は駆動ローラ、１３は窓アクチュエータ、１４はエンドレス体、２は窓固定枠、３は窓、４は制御装置、４２はメモリ、５はリモコン、５０は電源スイッチ、５１は自動制御スイッチ、５２は入眠スイッチ、５３は目覚めセンサ、５６は室温センサ、５７は室内湿度センサ、５８は室内風速センサ、６は気象センサ、６１は外気温度センサ、６２は室外風速センサ、６３は室外湿度センサ、６４は雨センサ、７はカーテン、７５は係合アーム、７６は係合アクチュエータ、７８はカーテンアクチュエータを示す。
【図１】
2008144519.tif 000003
【図２】
2008144519.tif 000004
【図３】
2008144519.tif 000005
【図４】
2008144519.tif 000006
【図５】
2008144519.tif 000007
【図６】
2008144519.tif 000008
【図７】
2008144519.tif 000009
【図８】
2008144519.tif 000010
【図９】
2008144519.tif 000011
【図１０】
2008144519.tif 000012
【図１１】
2008144519.tif 000013
【図１２】
2008144519.tif 000014
【図１３】
2008144519.tif 000015
【図１４】
2008144519.tif 000016
【図１５】
2008144519.tif 000017
【図１６】
2008144519.tif 000018
【図１７】
2008144519.tif 000019
【図１８】
2008144519.tif 000020
【図１９】
2008144519.tif 000021
【図２０】
2008144519.tif 000022